(57)【要約】      （修正有）【課題】太陽の追跡手段が不要な、小型で効率的なソーラーパネルの改良構造を提供する。【解決手段】太陽エネルギー改良構造を提供し、基板と太陽エネルギーチップをパッケージするパッケージ層上に各方向角度からの太陽光を受ける球状レンズを設置し、各方向の太陽光を皆太陽エネルギーチップに入射させ、ソーラーパネルの効率を大幅に向上する。【選択図】図１
0003132139.tif 000002
【実用新案登録請求の範囲】
【請求項１】
ソーラーパネルの改良構造であって、
陰極電極配線と陽極電極配線を有する基板と、
前記基板上に設置され、且つ、前記陰極電極と前記陽極電極と電気的に接続される太陽エネルギーチップと、
前記基板と前記太陽エネルギーチップを覆蓋するパッケージ層と、
前記パッケージ層の表面上に位置し、各種異なる方向の太陽光を受け入れる球状レンズと、
からなることを特徴とするソーラーパネルの改良構造。
【請求項２】
前記太陽エネルギーチップは表面実装技術により配線上に貼接されることを特徴とする請求項１に記載のソーラーパネルの改良構造。
【請求項３】
前記太陽エネルギーチップは表面実装技術により陰極電極配線上に貼接されることを特徴とする請求項１に記載のソーラーパネルの改良構造。
【請求項４】
前記太陽エネルギーチップと前記陽極電極配線は導線により電気的に接続することを特徴とする請求項３に記載のソーラーパネルの改良構造。
【請求項５】
前記パッケージ層と前記球状レンズは一体成型であることを特徴とする請求項１に記載のソーラーパネルの改良構造。
【請求項６】
前記基板の材質は二酸化アルミニウムであることを特徴とする請求項１に記載のソーラーパネルの改良構造。
【請求項７】
前記構造は、リモコン、携帯電話、ＰＤＡ、或いは、衛星測位ナビゲーションシステムに応用できることを特徴とする請求項１に記載のソーラーパネルの改良構造。
【請求項８】
前記太陽エネルギーチップの材質は窒化ガリウムであることを特徴とする請求項１に記載のソーラーパネルの改良構造。
【請求項９】
前記陽極電極配線の前端はＴ字型に形成されることを特徴とする請求項１に記載のソーラーパネルの改良構造。
【考案の詳細な説明】
【技術分野】
【０００１】
本考案は、ソーラーパネル（太陽エネルギー板）の改良構造に関するものであって、特に、球状レンズを有するソーラーパネル構造に関するものである。
【背景技術】
【０００２】
太陽エネルギーは、豊富、安全、無汚染のエネルギー源であり、現在の資源が欠乏しつつある地球にとって、最適な新エネルギー源である。
【０００３】
多く見られるのは、太陽エネルギーを電気エネルギーに転換する方式で、光電半導体薄片、つまり、ソーラーパネルにより達成され、その作動方式は、太陽光照射を受け、大量の自由電子を生成し、電子の移動により電流を生成するものである。
【０００４】
しかし、単一のソーラーパネルが出力できる電流は限りがあり、発電量を増加させるために、直列と並列方式の組み合わせで大面積のソーラーパネルモジュールとしてパッケージする必要がある。
【０００５】
要求に基づいてソーラーパネルモジュールの組み立てを実行することができるが、これでは、ソーラーパネル全体の体積が過大になり、且つ、天然の太陽資源を利用したい者に多くのコストを費やさせる。
【０００６】
この他、ソーラーパネルモジュールが更に多くの太陽光の照射を受けられるようにするため、ソーラーパネルモジュールを適当に旋転させて、太陽光の方向を追跡し、更に多くの電気エネルギーを獲得する。
【０００７】
しかし、このような構造の要求下で、モジュール組み立ての材料とパッケージ工程コストがかかるだけでなく、ソーラーパネルモジュールを駆動して転向させる素子も必要とするので、一般の使用者は太陽エネルギー資源の利用を面倒に感じる。
【０００８】
よって、本考案は、駆動転向素子を必要とせずに各方向の太陽光を受けることができるソーラーパネル構造を提供し、上述の問題を解決する。
【考案の開示】
【考案が解決しようとする課題】
【０００９】
本考案は、ソーラーパネルのパッケージ層上に球状のレンズを設置し、各方向からの太陽光を受け、最適な太陽光利用を達成し、公知技術のような太陽光方向の追跡素子が不要であるソーラーパネルの改良構造を提供することを目的とする。
【００１０】
本考案は、体積が小さく、効果的な電量出力が可能なソーラーパネルの改良構造を提供することをもう一つの目的とする。
【００１１】
本考案は、ソーラーパネル構造の太陽エネルギーチップが表面貼接技術により、電極配線上に装着され、設計全体が更にフレキシブルなソーラーパネルの改良構造を提供することをもう一つの目的とする。
【００１２】
本考案は、太陽エネルギーにより発電させるのに必要なコストを大幅に減少させ、太陽エネルギー発電を大衆に受け入れさせることができるソーラーパネルの改良構造を提供することを更なる目的とする。
【課題を解決するための手段】
【００１３】
上述の目的を達成するため、本考案のソーラーパネルの改良構造は、陰極電極配線と陽極電極配線を有する基板と、前記基板上に設置され、且つ、前記陰極電極と前記陽極電極と電気的に接続される太陽エネルギーチップと、前記基板と前記太陽エネルギーチップを覆蓋するパッケージ層と、前記パッケージ層上に位置し、各種異なる方向からの太陽光を受け入れる球状レンズと、からなる。
【００１４】
すなわち、本願の第１考案は、ソーラーパネルの改良構造であって、陰極電極配線と陽極電極配線を有する基板と、前記基板上に設置され、且つ、前記陰極電極と前記陽極電極と電気的に接続される太陽エネルギーチップと、前記基板と前記太陽エネルギーチップを覆蓋するパッケージ層と、前記パッケージ層の表面上に位置し、各種異なる方向の太陽光を受け入れる球状レンズと、からなることを特徴とするソーラーパネルの改良構造を提供することを要旨とする。
【００１５】
また、本願の第２考案は、前記太陽エネルギーチップは表面実装技術（ＳＭＴ）により配線上に貼接されることを特徴とする本願の第１考案に記載のソーラーパネルの改良構造を提供することを要旨とする。
【００１６】
また、本願の第３考案は、前記太陽エネルギーチップは表面実装技術（ＳＭＴ）により陰極電極配線上に貼接されることを特徴とする本願の第１考案に記載のソーラーパネルの改良構造を提供することを要旨とする。
【００１７】
また、本願の第４考案は、前記太陽エネルギーチップと前記陽極電極配線は導線により電気的に接続することを特徴とする本願の第３考案に記載のソーラーパネルの改良構造。
【００１８】
また、本願の第５考案は、前記パッケージ層と前記球状レンズは一体成型であることを特徴とする本願の第１考案に記載のソーラーパネルの改良構造を提供することを要旨とする。
【００１９】
また、本願の第６考案は、前記基板の材質は二酸化アルミニウムであることを特徴とする本願の第１考案に記載のソーラーパネルの改良構造を提供することを要旨とする。
【００２０】
また、本願の第７考案は、前記構造は、リモコン、携帯電話、ＰＤＡ、或いは、衛星測位ナビゲーションシステムに応用できることを特徴とする本願の第１考案に記載のソーラーパネルの改良構造を提供することを要旨とする。
【００２１】
また、本願の第８考案は、前記太陽エネルギーチップの材質は窒化ガリウムであることを特徴とする本願の第１考案に記載のソーラーパネルの改良構造を提供することを要旨とする。
【００２２】
また、本願の第９考案は、前記陽極電極配線の前端はＴ字型に形成されることを特徴とする本願の第１考案に記載のソーラーパネルの改良構造を提供することを要旨とする。
【考案の効果】
【００２３】
本考案のソーラーパネル構造は球状レンズを有して、各種角度からの太陽光線を受けて太陽エネルギーチップに到達させ、太陽エネルギーを電気エネルギーに転換する効率を大幅に向上させ、太陽光ソースを追跡する転動素子が不要で、且つ、ソーラーパネルに必要な太陽エネルギーチップの数量を大幅に減少させることができ、よって、太陽エネルギーを利用するのに必要なコストを減少させ、利用率と普及を増加させる。
【考案を実施するための最良の形態】
【００２４】
図１〜図５は、本考案の正面図、平面図、側面図、底面図と、基板の表面配線図である。図で示されるように、本考案は、基板１０と、太陽エネルギーチップ２０と、パッケージ層２８と、球状レンズ３０、とからなる。
【００２５】
基板１０の材質は二酸化アルミニウムで、基板１０上に陰極電極配線１２と陽極電極配線１４を有する。陰極電極配線１２と陽極電極配線１４は基板１０背面まで延伸して、図４で示されるように、陰極電極配線末端と陽極電極配線末端を形成する。表面実装技術（ＳＭＴ）により陰極電極配線１２前端に貼付された太陽エネルギーチップ２０は、その材質に窒化ガリウムを選択し、且つ、太陽エネルギーチップ２０を陰極電極配線１２前端に定位させやすくするため、陰極電極配線１２前端は大きい貼接領域２２を有し、太陽エネルギーチップ２０（２×２の四個の太陽エネルギーチップ）間に複数の金属配線２４を形成し、且つ、金属配線２４は金属導線２６により陽極電極配線１４前端が電気的に接続する。
【００２６】
この他、金属配線２４と陽極電極配線１４前端をワイヤーボンディングしやすくするため、陽極電極配線１４の前端をＴ字型に形成する。パッケージ層２８は、基板１０と太陽エネルギーチップ２０上を覆蓋し、基板１０、太陽エネルギーチップ２０、及び、太陽エネルギーチップ２０と同一側に位置する陰極電極配線１２と陽極電極配線１４はパッケージを実行する。パッケージ層２８上の球状レンズ３０は、球状構造面が異なる太陽の視角下で、各角度からの太陽光を受け、太陽エネルギーチップは発電動作を実行する。
【００２７】
本考案中、１ｍｍ四方のソーラーパネルが生成できる電気エネルギーは０．５ボルトで、２ｍｍ四方のソーラーパネルが生成できる電気エネルギーは２ボルトである。
【００２８】
本考案のソーラーパネル上に球状レンズを有し、各種角度からの太陽光を受けることができ、ソーラーパネルは太陽光の追跡が不要で、各種角度の太陽光を充分に利用して発電させることができる。更に、本考案のソーラーパネルの面積は公知のものより小さく、単位面積当たりが出力できる電気エネルギーも高く、よって、リモコン、携帯電話、ＰＤＡ、或いは、衛星測位ナビゲーションシステム等各種携帯式装置に応用できる。
【００２９】
更に、更に強大な電量が必要な場合、本考案はモジュール化組み立てを実行し、複数の球状レンズを有する本考案のソーラーパネルを組み合わせて、必要な電量に達することができる。或いは、電子装置本来の電池素子を加え、異なる条件下、例えば、有光線、無光線下で適当に電力を供給を調整することができる。
【００３０】
上述のように、本考案はソーラーパネル構造を提供し、ソーラーパネルパッケージ構造上に球状レンズを有して、各種角度からの太陽光線を受けて太陽エネルギーチップに到達させ、太陽エネルギーを電気エネルギーに転換する効率を大幅に向上させる。本考案の構造設計下で、太陽光ソースを追跡する転動素子が不要で、且つ、ソーラーパネルに必要な太陽エネルギーチップの数量を大幅に減少させることができ、よって、太陽エネルギーを利用するのに必要なコストを減少させ、利用率と普及を増加させる。
【００３１】
本考案では好ましい実施例を前述の通り開示したが、これらは決して本考案に限定するものではなく、本考案の精神と領域を脱しない範囲内で各種の変更を加えることができる。
【図面の簡単な説明】
【００３２】
【図１】本考案の正面図である。
【図２】本考案の平面図である。
【図３】本考案の側面図である。
【図４】本考案の底面図である。
【図５】本考案の基板の表面配線図である。
【符号の説明】
【００３３】
１０  基板
１２  陰極電極配線
１４  陽極電極配線
２０  太陽エネルギーチップ
２２  貼接領域
２４  金属配線
２６  金属導線
２８  パッケージ層
３０  球状レンズ
【図１】
0003132139.tif 000003
【図２】
0003132139.tif 000004
【図３】
0003132139.tif 000005
【図４】
0003132139.tif 000006
【図５】
0003132139.tif 000007